【手続補正書】
【提出日】平成17年5月24日(2005.5.24)
【手続補正１】
【補正対象書類名】明細書
【補正対象項目名】特許請求の範囲
【補正方法】変更
【補正の内容】
【特許請求の範囲】
【請求項１】  分散通信ネットワークを利用してモバイルコンピューティング環境上で情報を獲得するための方法であって、
（ａ）パターンテンプレートを生成する工程と、
（ｂ）シンクライアントコンピュータに前記パターンテンプレートを格納する工程と、
（ｃ）ユーザ入力に部分的に基づいて、前記シンクライアントコンピュータ上で照会を作成する工程と、
（ｄ）分散通信ネットワークを利用して、ネットワークに情報の照会を行う工程と、
（ｅ）前記照会に対する応答を、前記分散通信ネットワークから受信する工程と、
（ｆ）前記シンクライアントコンピュータ上で、アプリケーションツールを利用して前記応答を処理する工程であって、前記応答は、前記パターンテンプレートに基づいて、前記アプリケーションツールによってフィルタリングされる、工程と、
（ｇ）ユーザに対して情報を表示する工程と
を備える方法。
【請求項２】  分散通信ネットワークを利用してモバイルコンピューティング環境上で情報を獲得するための請求項１記載の方法であって、
前記パターンテンプレートは、複数のワードパターンを含む、方法。
【請求項３】  分散通信ネットワークを利用してモバイルコンピューティング環境上で情報を獲得するための請求項２記載の方法であって、
前記応答は、
前記アプリケーションツール上で前記パターンテンプレートを呼び出し、
前記応答の一部が前記パターンテンプレートの前記複数のパターンの少なくとも一つに一致可能であるかを決定し、
一致した場合にのみ前記応答を表示することによって、
前記パターンテンプレートに基づいて前記アプリケーションツールによりフィルタリングされる、方法。
【請求項４】  分散通信ネットワークを利用してモバイルコンピューティング環境上で情報を獲得するための請求項１記載の方法であって、
前記パターンテンプレートは、句読点で区切られたワードを識別し、大文字で始まる二つのワードを探し出してフルネームを識別し、タイムストリングをパースし、大文字で始まるワードからなる連続したフレーズを社名とトピックと場所の少なくとも一つとして識別するように構成されている、方法。
【請求項５】  分散通信ネットワークを利用してモバイルコンピューティング環境上で情報を獲得するための請求項１記載の方法であって、
前記分散通信ネットワークはマルチプロセッサのためのサポートを含む、方法。
【請求項６】  分散通信ネットワークを利用してモバイルコンピューティング環境上で情報を獲得するための請求項１記載の方法であって、
前記分散通信ネットワークは、ユーザの特性に基づいて項目をフィルタリングするためのサポートを含む、方法。
【請求項７】  分散通信ネットワークを利用してモバイルコンピューティング環境上で情報を獲得するための請求項１記載の方法であって、
前記分散通信ネットワークは無線通信のためのサポートを含む、方法。
【請求項８】  分散通信ネットワークを利用してモバイルコンピューティング環境上で情報を獲得するための請求項１記載の方法であって、
前記分散通信ネットワークはデスクトップコンピューティング環境のためのサポートを含む、方法。
【請求項９】  分散通信ネットワークを利用してモバイルコンピューティング環境上で情報を獲得するための請求項１記載の方法であって、
前記分散通信ネットワークは認証のためのサポートを含む、方法。
【請求項１０】  分散通信ネットワークを利用してモバイルコンピューティング環境上で情報を獲得する装置であって、
（ａ）シンクライアントコンピュータのプロセッサと、
（ｂ）前記プロセッサの制御下において、前記シンクライアントコンピュータにパターンテンプレートを格納するメモリと、
（ｃ）ユーザ入力に部分的に基づいて、前記シンクライアントコンピュータ上で照会を作成するロジックと、
（ｄ）分散通信ネットワークを利用して、ネットワークに情報の照会を行うロジックと、
（ｅ）前記照会に対する応答を、前記分散通信ネットワークから受信するロジックと、
（ｆ）前記シンクライアントコンピュータ上で、アプリケーションツールを利用して前記応答を処理するロジックであって、前記応答は、前記パターンテンプレートに基づいて前記アプリケーションツールによってフィルタリングされる、ロジックと、
（ｇ）ユーザに対して情報を表示するロジックと
を備える装置。
【請求項１１】  コンピュータ読み取り可能な媒体上に組み込まれ、分散通信ネットワークを利用してモバイルコンピューティング環境上で情報を獲得するコンピュータプログラムであって、
（ａ）パターンテンプレートを生成するコードセグメントと、
（ｂ）シンクライアントコンピュータに前記パターンテンプレートを格納するコードセグメントと、
（ｃ）ユーザ入力に部分的に基づいて、前記シンクライアントコンピュータ上で照会を作成するコードセグメントと、
（ｄ）分散通信ネットワークを利用して、ネットワークに情報の照会を行うコードセグメントと、
（ｅ）前記照会に対する応答を、前記分散通信ネットワークから受信するコードセグメントと、
（ｆ）前記シンクライアントコンピュータ上で、アプリケーションツールを利用して前記応答を処理するコードセグメントであって、前記アプリケーションツールによる前記応答のフィルタリングは前記パターンテンプレートに基づいて行われる、コードセグメントと、
（ｇ）ユーザに対して情報を表示するコードセグメントと
を備えるコンピュータプログラム。
【請求項１２】  コンピュータ読み取り可能な媒体上に組み込まれ、分散通信ネットワークを利用してモバイルコンピューティング環境上で情報を獲得する請求項１１記載のコンピュータプログラムであって、
前記パターンテンプレートは、複数のワードパターンを含む、コンピュータプログラム。
【請求項１３】  コンピュータ読み取り可能な媒体上に組み込まれ、分散通信ネットワークを利用してモバイルコンピューティング環境上で情報を獲得する請求項２記載のコンピュータプログラムであって、
前記応答は、
前記アプリケーションツール上で前記パターンテンプレートを呼び出し、
前記応答の一部が前記パターンテンプレートの前記複数のパターンの少なくとも一つに一致可能であるか否かを決定し、
一致した場合にのみ前記応答を表示することによって、
前記パターンテンプレートに基づいて前記アプリケーションツールによってフィルタリングされる、コンピュータプログラム。
【請求項１４】  コンピュータ読み取り可能な媒体上に組み込まれ、分散通信ネットワークを利用してモバイルコンピューティング環境上で情報を獲得する請求項１１記載のコンピュータプログラムであって、
前記パターンテンプレートは、句読点で区切られたワードを識別し、大文字で始まる二つのワードを探し出してフルネームを識別し、タイムストリングをパースし、大文字で始まるワードからなる連続したフレーズを社名とトピックと場所の少なくとも一つとして識別するように適応される、コンピュータプログラム。
【請求項１５】  コンピュータ読み取り可能な媒体上に組み込まれ、分散通信ネットワークを利用してモバイルコンピューティング環境上で情報を獲得する請求項１１記載のコンピュータプログラムであって、
前記分散通信ネットワークはマルチプロセッサのためのサポートを含む、コンピュータプログラム。
【請求項１６】  コンピュータ読み取り可能な媒体上に組み込まれ、分散通信ネットワークを利用してモバイルコンピューティング環境上で情報を獲得する請求項１１記載のコンピュータプログラムであって、
前記分散通信ネットワークは、ユーザの特性に基づいて項目をフィルタリングするためのサポートを含む、コンピュータプログラム。
【請求項１７】  コンピュータ読み取り可能な媒体上に組み込まれ、分散通信ネットワークを利用してモバイルコンピューティング環境上で情報を獲得する請求項１１記載のコンピュータプログラムであって、
前記分散通信ネットワークは無線通信のためのサポートを含む、コンピュータプログラム。
【請求項１８】  コンピュータ読み取り可能な媒体上に組み込まれ、分散通信ネットワークを利用してモバイルコンピューティング環境上で情報を獲得する請求項１１記載のコンピュータプログラムであって、
前記分散通信ネットワークはデスクトップコンピューティング環境のためのサポートを含む、コンピュータプログラム。
【請求項１９】  コンピュータ読み取り可能な媒体上に組み込まれ、分散通信ネットワークを利用してモバイルコンピューティング環境上で情報を獲得する請求項１１記載のコンピュータプログラムであって、
前記分散通信ネットワークは認証のためのサポートを含む、コンピュータプログラム。
【請求項２０】  請求項１記載の方法であって、
前記ユーザ入力は、少なくとも一つのインジケータを含み、
ユーザ入力に部分的に基づいて前記シンクライアントコンピュータ上で照会を作成する前記工程は、更に、
前記テキストストリングの一部が前記パターンにバインド可能であるか否かを決定する工程と、
前記複数のテキストストリングの少なくとも一つをバインドする工程と、
インジケータの場所を突き止める工程と、
を含む、方法。